(57)【要約】【課題】指紋認証をサポートする電子装置を提供する。【解決手段】本発明の電子装置は、透明部材と、透明部材の下方に配置されて複数のピクセルを含むディスプレーと、ディスプレーの少なくとも一部領域の下方に配置されたイメージセンサーと、少なくとも一つのテンプレートを記憶するメモリーと、プロセッサと、を備え、プロセッサは、イメージセンサーを用い、複数のピクセルのうちの少なくとも一部を介して出力された光が透明部材に接触した外部客体によって反射された光に基づいて第１イメージを獲得し、第１イメージを用い、少なくとも一つのテンプレートに基づいて外部客体に対する認証を実行し、外部客体に対する認証結果に基づいて、第１イメージの品質が予め設定された条件に該当する場合、第１イメージに基づいて外部客体に対する第２イメージを生成し、第２イメージを用い、少なくとも一つのテンプレートに基づいて外部客体に対する認証を実行する。【選択図】図７
2019114246.tif 000002
【特許請求の範囲】
【請求項１】
電子装置であって、
透明部材と、
前記透明部材の下方に配置されて複数のピクセルを含むディスプレーと、
前記ディスプレーの少なくとも一部領域の下方に配置されたイメージセンサーと、
少なくとも一つのテンプレートを記憶するためのメモリーと、
プロセッサと、を備え、
前記プロセッサは、
前記イメージセンサーを用い、前記複数のピクセルのうちの少なくとも一部を介して出力された光が前記透明部材に接触した外部客体によって反射された光に少なくとも基づいて第１イメージを獲得し、
前記第１イメージを用い、前記少なくとも一つのテンプレートに少なくとも基づいて前記外部客体に対する認証を実行し、
前記外部客体に対する認証結果に基づいて、前記第１イメージの品質が予め設定された条件に該当する場合、前記第１イメージに少なくとも基づいて前記外部客体に対する第２イメージを生成し、  前記第２イメージを用い、前記少なくとも一つのテンプレートに少なくとも基づいて前記外部客体に対する認証を実行することを特徴とする電子装置。
【請求項２】
前記プロセッサは、
前記第１イメージの品質が第１基準値以上であるか否かを判断し、
前記第１イメージの品質が前記第１基準値未満である場合、前記第１イメージの品質が第２基準値以上であるか否かを判断することを特徴とする請求項１に記載の電子装置。
【請求項３】
前記プロセッサは、
前記第１イメージの品質の判断結果に基づいて、前記第１イメージの品質が前記第２基準値以上である場合、前記第２イメージを生成し、前記第２イメージを用いて前記外部客体に対する認証を実行し、
前記第１イメージの品質の判断結果に基づいて、前記第１イメージの品質が前記第２基準値未満である場合、前記複数のピクセル又は前記イメージセンサーのうちの少なくとも一つの設定を変更し、前記変更された設定によって前記イメージセンサーを用いて前記外部客体に対する第３イメージを獲得することを特徴とする請求項２に記載の電子装置。
【請求項４】
前記プロセッサは、
前記第１イメージを用いて実行された前記外部客体に対する認証が成功した場合、前記認証の成功に対応する機能のアクセスを許容し、
前記第２イメージを用いて実行された前記外部客体に対する認証が成功した場合、前記認証の成功に対応する機能のうちの少なくとも一部に対するアクセスを許容することを特徴とする請求項１に記載の電子装置。
【請求項５】
前記プロセッサは、
前記第２イメージを用いて実行された前記外部客体に対する認証に成功した場合、前記第１イメージに少なくとも基づいて追加テンプレートを生成し、前記生成された追加テンプレートを前記メモリーに記憶することを特徴とする請求項１に記載の電子装置。
【請求項６】
前記プロセッサは、
前記第１イメージの品質が予め設定された条件に該当する場合、前記第１イメージに少なくとも基づいて、正規化、コントラスト強調、バンドパスフィルター、及びガボールフィルターのうちの少なくとも一つの方法を介して前記外部客体に対する第２イメージを生成し、
局所明瞭度スコア、オリエンテーションの確信レベル、ファジー、及び標準偏差のうちの少なくとも一つの方法を用い、前記獲得された第１イメージの品質を判断することを特徴とする請求項１に記載の電子装置。
【請求項７】
前記少なくとも一つのテンプレートは、基準テンプレート及び少なくとも一つのサブテンプレートを含み、
前記プロセッサは、
前記第１イメージ又は前記第２イメージのうちの少なくとも一つを用い、前記基準テンプレートに基づいて前記外部客体に対する認証を実行し、
前記基準テンプレートに基づいて実行された前記外部客体に対する認証が失敗した場合、前記第１イメージ又は前記第２イメージのうちの少なくとも一つを用い、前記少なくとも一つのサブテンプレートのうちの少なくとも一つに基づいて前記外部客体に対する認証を実行することを特徴とする請求項１に記載の電子装置。
【請求項８】
前記プロセッサは、
前記外部客体に対する認証が実行される前に、前記第１イメージに含まれる情報に少なくとも基づいて前記第１イメージの品質を判断し、
前記第１イメージの品質が予め設定された条件に該当する場合、前記第１イメージに少なくとも基づいて前記外部客体に対する第２イメージを生成し、
前記第１イメージ又は前記第２イメージのうちの少なくとも一つを用い、前記少なくとも一つのテンプレートに少なくとも基づいて前記外部客体に対する認証を実行することを特徴とする請求項１に記載の電子装置。
【請求項９】
前記プロセッサは、
前記第１イメージの品質が第１基準値以上であるか否かを判断し、
前記第１イメージの品質が前記第１基準値以上である場合、前記第１イメージを用いて前記外部客体に対する認証を実行することを特徴とする請求項８に記載の電子装置。
【請求項１０】
前記プロセッサは、
前記第１イメージの品質が前記第１基準値未満である場合、前記第１イメージの品質が第２基準値以上であるか否かを判断し、
前記第１イメージの品質の判断結果に基づいて、前記第１イメージの品質が前記第２基準値以上である場合、前記第２イメージを生成し、前記第２イメージを用いて前記外部客体に対する認証を実行し、
前記第１イメージの品質の判断結果に基づいて、前記第１イメージの品質が前記第２基準値未満である場合、前記複数のピクセル又は前記イメージセンサーのうちの少なくとも一つの設定を変更し、前記変更された設定によって前記イメージセンサーを用いて前記外部客体に対する第３イメージを獲得し、
前記第２イメージを用いて実行された前記外部客体に対する認証が成功した場合、前記第１イメージに少なくとも基づいて追加テンプレートを生成し、前記生成された追加テンプレートを前記メモリーに記憶することを特徴とする請求項９に記載の電子装置。
【請求項１１】
前記プロセッサは、
前記第１イメージの品質に対応するテンプレートに基づいて前記外部客体に対する第１認証を実行し、
前記第１認証が失敗した場合、前記第１イメージの品質に対応するテンプレート以外のテンプレートに基づいて前記外部客体に対する第２認証を実行することを特徴とする請求項８に記載の電子装置。
【請求項１２】
電子装置であって、
指紋センサーと、
認証された指紋に対する少なくとも一つのテンプレートを記憶するためのメモリーと、
プロセッサと、を備え、
前記プロセッサは、
前記指紋センサーを用い、外部客体に対応する第１イメージを獲得し、
前記第１イメージを用い、前記少なくとも一つのテンプレートに基づいて前記外部客体に対する認証を実行し、
前記外部客体に対する認証結果に基づいて、前記第１イメージを用いて前記少なくとも一つのテンプレートの少なくとも一部をアップデートすることを特徴とする電子装置。
【請求項１３】
前記プロセッサは、
前記第１イメージを用いて実行された前記外部客体に対する認証が成功した場合、
前記第１イメージを用い、前記少なくとも一つのテンプレートのうちの前記認証に用いられたテンプレートの少なくとも一部をアップデートすることを特徴とする請求項１２に記載の電子装置。
【請求項１４】
電子装置であって、
透明部材と、
前記透明部材の下方に配置されて複数のピクセルを含むディスプレーと、
前記ディスプレーの少なくとも一部領域の下方に配置されたイメージセンサーと、
少なくとも一つのテンプレートを記憶するためのメモリーと、
プロセッサと、を備え、
前記プロセッサは、
前記イメージセンサーを用い、前記複数のピクセルのうちの少なくとも一部を介して出力され、前記透明部材に接触した外部客体によって反射された光を獲得し、
前記反射された光に基づいて前記外部客体に対応する第１イメージを獲得し、
前記第１イメージに含まれる情報に少なくとも基づいて前記第１イメージの品質を判断し、
前記第１イメージの品質が第１基準値以上である場合、前記第１イメージの少なくとも一部を用いてテンプレートを生成し、
前記第１イメージの品質が第１基準値未満である場合、前記第１イメージの品質が第２基準値以上であるか否かを判断し、
前記第１イメージの品質が前記第２基準値以上である場合、前記第１イメージに少なくとも基づいて前記外部客体に対する第２イメージを生成し、前記生成された第２イメージの少なくとも一部を用いてテンプレートを生成し、
前記生成されたテンプレートを前記メモリーに記憶することを特徴とする電子装置。
【請求項１５】
前記プロセッサは、
前記テンプレートが前記第１イメージの少なくとも一部を用いて生成された場合、前記生成されたテンプレートを基準テンプレートとして前記メモリーに記憶し、
前記テンプレートが前記第２イメージの少なくとも一部を用いて生成された場合、前記生成されたテンプレートをサブテンプレートとして前記メモリーに記憶し、
前記イメージセンサーを用い、前記複数のピクセルのうちの少なくとも一部を介して出力され、前記透明部材に接触した第２外部客体によって反射された光を獲得し、
前記反射された光に基づいて前記第２外部客体に対応する第３イメージを獲得し、
前記第３イメージを用い、前記少なくとも一つのテンプレートに少なくとも基づいて前記第２外部客体に対する認証を実行し、
前記第２外部客体に対する認証結果に基づいて、前記実行された認証が前記基準テンプレートに基づいて成功した場合、予め設定された認証成功に対応する機能に対するアクセスを許容し、
前記実行された認証が前記サブテンプレートに基づいて成功した場合、前記予め設定された認証成功に対応する機能のうちの少なくとも一部に対するアクセスを許容することを特徴とする請求項１４に記載の電子装置。
【発明の詳細な説明】
【技術分野】
【０００１】
本発明は、電子装置に関し、より詳細には、生体情報に関するイメージの品質に応じて、イメージを予め設定された方式で処理して認証する電子装置に関する。
【背景技術】
【０００２】
電子装置は、多様な機能を複合的に実行する。例えば、移動通信端末機、ＰＤＡ（ｐｅｒｓｏｎａｌ  ｄｉｇｉｔａｌ  ａｓｓｉｓｔａｎｔ）、電子手帳、スマートフォン、タブレットＰＣ（ｐｅｒｓｏｎａｌ  ｃｏｍｐｕｔｅｒ）などは進歩した性能を具現しながらユーザにより多くの利便性を提供するように発展しつつある。
【０００３】
電子装置で提供される機能の中の特定機能は、セキュリティ問題を考慮してユーザの認証が実行された場合に限って提供される。例えば、電子装置は、ユーザの指紋が予め設定された情報と一致するか否かによって所定の機能を提供するように指紋認証機能をサポートする。
【０００４】
電子装置において、指紋認証を実行する時、同一ユーザの同一指紋によって指紋認証を実行しても指紋の状態によって認証が実行されないこともある。
【０００５】
例えば、同一ユーザの指紋を介して指紋登録及び指紋認証を実行しても、指紋認証時のユーザの指の乾燥程度又は油分の含有程度、温度状態などが指紋登録時の指紋状態と相違する場合、電子装置はこれを他のユーザの指紋として認識して認証誤作動が発生することがある。
【先行技術文献】
【特許文献】
【０００６】
【特許文献１】米国特許出願公開第２０１５／０２７８５７４号明細書
【特許文献２】韓国登録特許第１０−０７６３３１２号公報
【発明の概要】
【発明が解決しようとする課題】
【０００７】
本発明は、上記従来の問題点に鑑みてなされたものであって、本発明の目的は、認識誤作動を誘発しない指紋認識をサポートする電子装置を提供することにある。
【課題を解決するための手段】
【０００８】
上記目的を達成するためになされた本発明の一態様による電子装置は、透明部材と、前記透明部材の下方に配置されて複数のピクセルを含むディスプレーと、前記ディスプレーの少なくとも一部領域の下方に配置されたイメージセンサーと、少なくとも一つのテンプレートを記憶するためのメモリーと、プロセッサと、を備え、前記プロセッサは、前記イメージセンサーを用い、前記複数のピクセルのうちの少なくとも一部を介して出力された光が前記透明部材に接触した外部客体によって反射された光に少なくとも基づいて第１イメージを獲得し、前記第１イメージを用い、前記少なくとも一つのテンプレートに少なくとも基づいて前記外部客体に対する認証を実行し、前記外部客体に対する認証結果に基づいて、前記第１イメージの品質が予め設定された条件に該当する場合、前記第１イメージに少なくとも基づいて前記外部客体に対する第２イメージを生成し、前記第２イメージを用い、前記少なくとも一つのテンプレートに少なくとも基づいて、前記外部客体に対する認証を実行する。
【０００９】
一実施形態による電子装置は、透明部材と、前記透明部材の下方に配置されて複数のピクセルを含むディスプレーと、前記ディスプレーの少なくとも一部領域の下方に配置されたイメージセンサーと、少なくとも一つのテンプレートを記憶するためのメモリーと、プロセッサと、を備え、前記プロセッサは、前記イメージセンサーを用い、前記複数のピクセルのうちの少なくとも一部を介して出力された光が前記透明部材に接触した外部客体によって反射された光に少なくとも基づいて第１イメージを獲得し、前記第１イメージに含まれる情報に少なくとも基づいて前記第１イメージの品質を判断し、前記第１イメージの品質が予め設定された条件に該当する場合、前記第１イメージに少なくとも基づいて前記外部客体に対する第２イメージを生成し、前記第１イメージ又は前記第２イメージのうちの少なくとも一つを用い、前記少なくとも一つのテンプレートに少なくとも基づいて、前記外部客体に対する認証を実行する。
【００１０】
上記目的を達成するためになされた本発明の他の態様による電子装置は、指紋センサーと、認証された指紋に対する少なくても一つのテンプレートを記憶するためのメモリーと、プロセッサと、を備え、前記プロセッサは、前記指紋センサーを用い、外部客体に対応する第１イメージを獲得し、前記第１イメージを用い、前記少なくとも一つのテンプレートに基づいて前記外部客体に対する認証を実行し、前記外部客体に対する認証結果に基づいて、前記第１イメージを用いて前記少なくとも一つのテンプレートの少なくとも一部をアップデートする。
【００１１】
上記目的を達成するためになされた本発明の更に他の態様による電子装置は、透明部材と、前記透明部材の下方に配置されて複数のピクセルを含むディスプレーと、前記ディスプレーの少なくとも一部領域の下方に配置されたイメージセンサーと、少なくとも一つのテンプレートを記憶するためのメモリーと、プロセッサと、を備え、前記プロセッサは、前記イメージセンサーを用い、前記複数のピクセルのうちの少なくとも一部を介して出力され、前記透明部材に接触した外部客体によって反射された光を獲得し、前記反射された光に基づいて前記外部客体に対応する第１イメージを獲得し、前記第１イメージに含まれる情報に少なくとも基づいて前記第１イメージの品質を判断し、前記第１イメージの品質が第１基準値以上である場合、前記第１イメージの少なくとも一部を用いてテンプレートを生成し、前記第１イメージの品質が第１基準値未満である場合、前記第１イメージの品質が前記第２基準値以上であるか否かを判断し、前記第１イメージの品質が第２基準値以上である場合、前記第１イメージに少なくとも基づいて前記外部客体に対する第２イメージを生成し、前記生成された第２イメージの少なくとも一部を用いてテンプレートを生成し、前記生成されたテンプレートを前記メモリーに記憶する。
【発明の効果】
【００１２】
本発明の電子装置によれば、指紋の状態が乾燥しているか否かなどの環境に拘わらず指紋を正確に認識することが可能な改善された指紋認識性能を提供することができる。
【図面の簡単な説明】
【００１３】
【図１】本発明の一実施形態によるネットワーク環境内の電子装置のブロック図である。
【図２Ａ】本発明の一実施形態による電子装置の前面を示す図である。
【図２Ｂ】本発明の他の実施形態による電子装置の前面を示す図である。
【図３】本発明の一実施形態による電子装置に生体センサーを実装した構造を示す図である。
【図４】本発明の一実施形態による電子装置のブロック構成図である。
【図５】本発明の他の実施形態による電子装置のブロック構成図である。
【図６】本発明の一実施形態による認証に用いられるテンプレートを説明するための図である。
【図７】一実施形態による指紋認証過程を説明するための図である。
【図８Ａ】本発明の一実施形態による指紋登録方法に関するフローチャートである。
【図８Ｂ】本発明の一実施形態による指紋認証方法に関するフローチャートである。
【図８Ｃ】本発明の一実施形態による指紋認証段階で加工されたイメージを用いて認証を実行する方法に関するフローチャートである。
【図８Ｄ】本発明の他の実施形態による指紋認証方法に関するフローチャートである。
【図８Ｅ】本発明の更に他の実施形態による指紋認証方法に関するフローチャートである。
【図９Ａ】本発明の一実施形態によるイメージの品質判断方法を説明するための図である。
【図９Ｂ】本発明の一実施形態によるイメージの品質判断方法を説明するための図である。
【図９Ｃ】一実施形態による少なくとも一つのテンプレートを説明するための図である。
【図１０】一実施形態による電子装置の認証方法別の機能提供程度を説明するための図である。
【発明を実施するための形態】
【００１４】
以下、本発明を実施するための形態の具体例を、図面を参照しながら詳細に説明する。しかし、これは本発明を特定の実施形態に限定しようとするものではなく、本発明の実施形態の多様な変更（ｍｏｄｉｆｉｃａｔｉｏｎ）、均等物（ｅｑｕｉｖａｌｅｎｔ）、及び／又は代替物（ａｌｔｅｒｎａｔｉｖｅ）を含むことを理解しなければならない。図面の説明に関連して類似の構成要素に対しては類似の参照符号が用いられる。
【００１５】
本明細書において、“有する”、“有することができる”、“含む”又は“含むことができる”などの表現は当該の特徴（例えば、数値、機能、動作、又は部品などの構成要素）の存在を指し、追加的な特徴の存在を排除しない。
【００１６】
本明細書において、“Ａ又はＢ”、“Ａ又は／及びＢのうちの少なくとも一つ”又は“Ａ又は／及びＢのうちの又はそれ以上”などの表現は、共に羅列された項目の全ての可能な組み合わせを含む。例えば、“Ａ又はＢ”、“Ａ及びＢのうちの少なくとも一つ”又は“Ａ又はＢのうちの少なくとも一つ”は、（１）少なくとも一つのＡを含み、（２）少なくとも一つのＢを含み、又は（３）少なくとも一つのＡ及び少なくとも一つのＢのいずれをも含む場合を全て指称する。
【００１７】
多様な実施形態で用いられる“第１”、“第２”、“一番目”、又は“二番目”などの表現は多様な構成要素を順序又は重要度に拘わらずに修飾し、当該構成要素を限定しない。上記表現は一つの構成要素を他の構成要素と区分するために用いられる。例えば、第１ユーザ機器と第２ユーザ機器とは、順序又は重要度に拘わらず、互いに異なるユーザ機器を示す。例えば、本発明の権利範囲を逸脱せずに第１構成要素は第２構成要素で命名され、同様に第２構成要素も第１構成要素に変えて命名される。
【００１８】
ある構成要素（例えば、第１構成要素）が他の構成要素（例えば、第２構成要素）に“（機能的又は通信的に）連結されて（（ｏｐｅｒａｔｉｖｅｌｙ  ｏｒ  ｃｏｍｍｕｎｉｃａｔｉｖｅｌｙ）ｃｏｕｐｌｅｄ  ｗｉｔｈ／ｔｏ）”いるか“接続されて（ｃｏｎｎｅｃｔｅｄ  ｔｏ）”いると言及する時には、ある構成要素が他の構成要素に直接的に連結されるか、他の構成要素（例えば、第３構成要素）を介して連結されると理解されなければならない。一方、ある構成要素（例えば、第１構成要素）が他の構成要素（例えば、第２構成要素）に“直接連結されて”いるか“直接接続されて”いると言及する場合には、ある構成要素と他の構成要素との間に他の構成要素（例えば、第３構成要素）が存在しないことが理解される。
【００１９】
本明細書において用いられる表現“〜するように構成された（又は、設定された）（ｃｏｎｆｉｇｕｒｅｄ  ｔｏ）”は、状況によって、例えば“〜に適合した（ｓｕｉｔａｂｌｅ  ｆｏｒ）”、“〜する能力を有する（ｈａｖｉｎｇ  ｔｈｅ  ｃａｐａｃｉｔｙ  ｔｏ）”、“〜するように設計された（ｄｅｓｉｇｎｅｄ  ｔｏ）”、“〜するように変更された（ａｄａｐｔｅｄ  ｔｏ）”、“〜するように作られた（ｍａｄｅ  ｔｏ）”、又は“〜ができる（ｃａｐａｂｌｅ  ｏｆ）”と変えて用いられる。用語“〜するように構成（又は、設定）された”はハードウェア的に“特別に設計された（ｓｐｅｃｉｆｉｃａｌｌｙ  ｄｅｓｉｇｎｅｄ  ｔｏ）”ものだけを必ずしも意味しない。代わりに、ある状況では、“〜するように構成された装置”という表現は、その装置が他の装置又は部品と共に“〜できる”ことを意味する。例えば、文句“Ａ、Ｂ、及びＣを実行するように構成（又は設定）されたプロセッサ”は当該動作を実行するための専用プロセッサ（例えば、エンベッディドプロセッサ）、又はメモリー装置に記憶された一つ以上のソフトウェアプログラムを実行することによって、当該動作を実行する汎用プロセッサ（ｇｅｎｅｒｉｃ−ｐｕｒｐｏｓｅ  ｐｒｏｃｅｓｓｏｒ）（例えば、ＣＰＵ又はａｐｐｌｉｃａｔｉｏｎ  ｐｒｏｃｅｓｓｏｒ）を意味する。
【００２０】
本明細書書において用いられた用語は、単に特定の実施形態を説明するために用いられたものであって、他の実施形態の範囲を限定しようとする意図はない。単数の表現は文脈上、明白に異なるように意図しない限り、複数の表現を含む。技術的や科学的な用語を含む本明細書で用いられる全ての用語は本発明の技術分野で通常の知識を有する者によって一般的に理解されるものと同一の意味を有する。一般的に用いられる事前に定義された用語は関連技術の文脈上有する意味と同一又は類似の意味を有することで解釈され、本明細書において明白に定義されない限り、理想的や過度に形式的な意味で解釈されない。場合によって、本明細書において定義された用語でも本発明の実施形態を排除するように解釈されない。
【００２１】
本発明の多様な実施形態による電子装置は、通信機能が含まれる装置である。例えば、電子装置は、スマートフォン（ｓｍａｒｔｐｈｏｎｅ）、タブレットＰＣ（ｔａｂｌｅｔ  ｐｅｒｓｏｎａｌ  ｃｏｍｐｕｔｅｒ）、移動電話機（ｍｏｂｉｌｅ  ｐｈｏｎｅ）、画像電話機、電子ブックリーダー機（ｅ−ｂｏｏｋ  ｒｅａｄｅｒ）、デスクトップＰＣ（ｄｅｓｋｔｏｐ  ｐｅｒｓｏｎａｌ  ｃｏｍｐｕｔｅｒ）、ラップトップＰＣ（ｌａｐｔｏｐ  ｐｅｒｓｏｎａｌ  ｃｏｍｐｕｔｅｒ）、ネットブックコンピューター（ｎｅｔｂｏｏｋ  ｃｏｍｐｕｔｅｒ）、ＰＤＡ（ｐｅｒｓｏｎａｌ  ｄｉｇｉｔａｌ  ａｓｓｉｓｔａｎｔ）、ＰＭＰ（ｐｏｒｔａｂｌｅ  ｍｕｌｔｉｍｅｄｉａ  ｐｌａｙｅｒ）、ＭＰ３プレーヤー、モバイル医療機器、カメラ（ｃａｍｅｒａ）、又はウェアラブル装置（ｗｅａｒａｂｌｅ  ｄｅｖｉｃｅ）（例えば、電子メガネのようなｈｅａｄ−ｍｏｕｎｔｅｄ−ｄｅｖｉｃｅ（ＨＭＤ）、電子衣服、電子ブレスレット、電子ネックレス、電子アプセサリ（ａｐｐｃｅｓｓｏｒｙ）、電子タトゥー、又はスマートウォッチ（ｓｍａｒｔ  ｗａｔｃｈ））のうちの少なくとも一つを含む。
【００２２】
ある実施形態によると、電子装置は通信機能を備えたスマート家電製品（ｓｍａｒｔ  ｈｏｍｅ  ａｐｐｌｉａｎｃｅ）である。スマート家電製品は、例えば電子装置としてテレビ、ＤＶＤ（ｄｉｇｉｔａｌ  ｖｉｄｅｏ  ｄｉｓｋ）プレーヤー、オーディオ、冷蔵庫、エアコン、清掃機、オーブン、電子レンジ、洗濯機、空気清浄機、セットトップボックス（ｓｅｔ−ｔｏｐ  ｂｏｘ）、ＴＶボックス（例えば、三星ＨｏｍｅＳｙｎｃ  、アップルＴＶ、又はＧｏｏｇｌｅ  ＴＶ）、ゲームコンソール（ｇａｍｅ  ｃｏｎｓｏｌｅｓ）、電子辞典、電子鍵、キャムコーダ（ｃａｍｃｏｒｄｅｒ）、又は電子額縁のうちの少なくとも一つを含む。
【００２３】
ある実施形態によると、電子装置は各種医療機器（例えば、ＭＲＡ（ｍａｇｎｅｔｉｃ  ｒｅｓｏｎａｎｃｅ  ａｎｇｉｏｇｒａｐｈｙ）、ＭＲＩ（ｍａｇｎｅｔｉｃ  ｒｅｓｏｎａｎｃｅ  ｉｍａｇｉｎｇ）、ＣＴ（ｃｏｍｐｕｔｅｄ  ｔｏｍｏｇｒａｐｈｙ）、撮影機、超音波機など）、ナビゲーション（ｎａｖｉｇａｔｉｏｎ）装置、ＧＰＳ受信機（ｇｌｏｂａｌ  ｐｏｓｉｔｉｏｎｉｎｇ  ｓｙｓｔｅｍ  ｒｅｃｅｉｖｅｒ）、ＥＤＲ（ｅｖｅｎｔ  ｄａｔａ  ｒｅｃｏｒｄｅｒ）、ＦＤＲ（ｆｌｉｇｈｔ  ｄａｔａ  ｒｅｃｏｒｄｅｒ）、自動車インフォテインメント（ｉｎｆｏｔａｉｎｍｅｎｔ）装置、船舶用電子装備（例えば、船舶用航法装置及びジャイロコンパスなど）、航空電子機器（ａｖｉｏｎｉｃｓ）、保安機器、車用ヘッドユニット、産業用又は家庭用ロボット、金融機関のＡＴＭ（ａｕｔｏｍａｔｉｃ  ｔｅｌｌｅｒｓ  ｍａｃｈｉｎｅ）、又は商店のＰＯＳ（ｐｏｉｎｔ  ｏｆ  ｓａｌｅｓ）のうちの少なくとも一つを含む。
【００２４】
ある実施形態によると、電子装置は通信機能を含む家具（ｆｕｒｎｉｔｕｒｅ）又は建物／構造物の一部、電子ボード（ｅｌｅｃｔｒｏｎｉｃ  ｂｏａｒｄ）、電子サイン入力装置（ｅｌｅｃｔｒｏｎｉｃ  ｓｉｇｎａｔｕｒｅ  ｒｅｃｅｉｖｉｎｇ  ｄｅｖｉｃｅ）、プロジェクター（ｐｒｏｊｅｃｔｏｒ）、又は各種計測機器（例えば、水道、電気、ガス、又は電波計測機器など）のうちの少なくとも一つを含む。本発明の多様な実施形態による電子装置は上述した多様な装置中の一つ又はそれ以上の組み合せである。また、本発明の多様な実施形態による電子装置はフレキシブル装置である。また、本発明の多様な実施形態による電子装置は上述した機器に限定されないことは当業者に自明である。
【００２５】
図１は、本発明の一実施形態によるネットワーク環境１００内の電子装置１０１のブロック図である。
【００２６】
図１を参照すると、ネットワーク環境１００において電子装置１０１は、第１ネットワーク１９８（例えば、近距離無線通信）を介して電子装置１０２と通信するか、又は第２ネットワーク１９９（例えば、遠距離無線通信）を介して電子装置１０４又はサーバー１０８と通信する。一実施形態によると、電子装置１０１はサーバー１０８を介して電子装置１０４と通信する。本実施形態によると、電子装置１０１は、プロセッサ１２０、メモリー１３０、入力装置１５０、音響出力装置１５５、表示装置１６０、オーディオモジュール１７０、センサーモジュール１７６、インターフェース１７７、ハプティックモジュール１７９、カメラモジュール１８０、電力管理モジュール１８８、バッテリー１８９、通信モジュール１９０、加入者識別モジュール１９６、及びアンテナモジュール１９７を含む。ある実施形態では、電子装置１０１にはこの構成要素のうちの少なくとも一つ（例えば、表示装置１６０又はカメラモジュール１８０）が省略されるか、又は他の構成要素が追加される。ある実施形態では、例えば表示装置１６０（例えば、ディスプレー）に組み込まれたセンサーモジュール１７６（例えば、指紋センサー、虹彩センサー、又は照度センサー）の場合のように一部の構成要素が統合されて具現される。
【００２７】
プロセッサ１２０は、例えばソフトウェア（例えば、プログラム１４０）を駆動してプロセッサ１２０に接続された電子装置１０１の少なくとも一つの他の構成要素（例えば、ハードウェア又はソフトウェア構成要素）を制御し、多様なデータ処理及び演算を実行する。プロセッサ１２０は、他の構成要素（例えば、センサーモジュール１７６又は通信モジュール１９０）から受信された命令又はデータを揮発性メモリー１３２にロードして処理し、結果データを非揮発性メモリー１３４に記憶する。一実施形態によると、プロセッサ１２０は、メインプロセッサ１２１（例えば、中央処理装置又はアプリケーションプロセッサ）、及びこれとは独立的に操作され、追加的又は大体的に、メインプロセッサ１２１より低電力を使用するか、又は指定された機能に特化された補助プロセッサ１２３（例えば、グラフィック処理装置、イメージシグナルプロセッサ、センサーハーブプロセッサ、又はコミュニケーションプロセッサ）を含む。ここで、補助プロセッサ１２３は、メインプロセッサ１２１と別個に、又は組み込まれて操作される。
【００２８】
このような場合、補助プロセッサ１２３は、例えばメインプロセッサ１２１がインアクティブ（例えば、スリープ）状態にあるうちにメインプロセッサ１２１の代わりに、又はメインプロセッサ１２１がアクティブ（例えば、アプリケーション実行）状態にあるうちにメインプロセッサ１２１と共に、電子装置１０１の構成要素のうちの少なくとも一つの構成要素（例えば、表示装置１６０、センサーモジュール１７６、又は通信モジュール１９０）に関する機能又は状態の少なくとも一部を制御する。一実施形態によると、補助プロセッサ１２３（例えば、イメージシグナルプロセッサ又はコミュニケーションプロセッサ）は、機能的に関連する他の構成要素（例えば、カメラモジュール１８０又は通信モジュール１９０）の一部構成要素として具現される。メモリー１３０は、電子装置１０１の少なくとも一つの構成要素（例えば、プロセッサ１２０又はセンサーモジュール１７６）によって用いられる多様なデータ、例えばソフトウェア（例えば、プログラム１４０）、及びこれに関する命令に対する入力データ又は出力データを記憶する。メモリー１３０は、揮発性メモリー１３２又は非揮発性メモリー１３４を含む。
【００２９】
プログラム１４０は、メモリー１３０に記憶されるソフトウェアとして、例えばオペレーティングシステム１４２、ミドルウェア１４４、又はアプリケーション１４６を含む。
【００３０】
入力装置１５０は、電子装置１０１の構成要素（例えば、プロセッサ１２０）に用いられる命令又はデータを電子装置１０１の外部（例えば、ユーザ）から受信するための装置として、例えばマイク、マウス、又はキーボードを含む。
【００３１】
音響出力装置１５５は、音響信号を電子装置１０１の外部に出力するための装置として、例えばマルチメディア再生又は録音再生のように一般的な用途で用いられるスピーカーと電話受信専用で用いられるレシーバーを含む。一実施形態によると、レシーバーはスピーカーと一体又は別途に形成される。
【００３２】
表示装置１６０は、電子装置１０１のユーザに情報を視覚的に提供するための装置として、例えばディスプレー、ホログラム装置、又はプロジェクター及び当該装置を制御するための制御回路を含む。一実施形態によると、表示装置１６０はタッチ回路（ｔｏｕｃｈ  ｃｉｒｃｕｉｔｒｙ）又はタッチに対する圧力の強度を測定する圧力センサーを含む。
【００３３】
オーディオモジュール１７０は、音と電気信号とを双方向に変換する。一実施形態によると、オーディオモジュール１７０は、入力装置１５０を介して音を獲得するか、又は音響出力装置１５５、又は電子装置１０１と有線又は無線で接続された外部電子装置（例えば、電子装置１０２（例えば、スピーカー又はヘッドフォン））を介して音を出力する。
【００３４】
センサーモジュール１７６は、電子装置１０１の内部の作動状態（例えば、電力又は温度）、又は外部の環境状態に対応する電気信号又はデータ値を生成する。センサーモジュール１７６は、例えばジェスチャーセンサー、ジャイロセンサー、気圧センサー、マグネチックセンサー、加速度センサー、グリップセンサー、近接センサー、カラーセンサー、ＩＲ（ｉｎｆｒａｒｅｄ）センサー、生体センサー、温度センサー、湿度センサー、又は照度センサーを含む。
【００３５】
インターフェース１７７は、外部電子装置（例えば、電子装置１０２）と有線又は無線で接続される指定されたプロトコルをサポートする。一実施形態によると、インターフェース１７７は、ＨＤＭＩ（登録商標）（ｈｉｇｈ  ｄｅｆｉｎｉｔｉｏｎ  ｍｕｌｔｉｍｅｄｉａ  ｉｎｔｅｒｆａｃｅ）、ＵＳＢ（ｕｎｉｖｅｒｓａｌ  ｓｅｒｉａｌ  ｂｕｓ）インターフェース、ＳＤカードインターフェース、又はオーディオインターフェースを含む。
【００３６】
接続端子１７８は、電子装置１０１と外部電子装置（例えば、電子装置１０２）とを物理的に接続させるコネクター、例えばＨＤＭＩ（登録商標）コネクター、ＵＳＢコネクター、ＳＤカードコネクター、又はオーディオコネクター（例えば、ヘッドフォンコネクター）を含む。
【００３７】
ハプティックモジュール１７９は、電気的信号をユーザが触覚又は運動感覚を介して認知する機械的な刺激（例えば、振動又は動き）又は電気的な刺激で変換する。ハプティックモジュール１７９は、例えばモーター、圧電素子、又は電気刺激装置を含む。
【００３８】
カメラモジュール１８０は静止画映像及び動画映像を撮影する。一実施形態によると、カメラモジュール１８０は、一つ以上のレンズ、イメージセンサー、イメージシグナルプロセッサ、又はフラッシュを含む。
【００３９】
電力管理モジュール１８８は、電子装置１０１に供給される電力を管理するためのモジュールとして、例えばＰＭＩＣ（ｐｏｗｅｒ  ｍａｎａｇｅｍｅｎｔ  ｉｎｔｅｇｒａｔｅｄ  ｃｉｒｃｕｉｔ）の少なくとも一部として構成される。
【００４０】
バッテリー１８９は、電子装置１０１の少なくとも一つの構成要素に電力を供給するための装置として、例えば再充電不可能な１次電池、再充電可能な２次電池又は燃料電池を含む。
【００４１】
通信モジュール１９０は、電子装置１０１と外部電子装置（例えば、電子装置１０２、電子装置１０４）、又はサーバー１０８）との間の有線又は無線通信チャンネルの樹立、及び樹立された通信チャンネルを通じた通信実行をサポートする。通信モジュール１９０は、プロセッサ１２０（例えば、アプリケーションプロセッサ）から独立的に操作される有線通信又は無線通信をサポートする一つ以上のコミュニケーションプロセッサを含む。一実施形態によると、通信モジュール１９０は、無線通信モジュール１９２（例えば、セルラー通信モジュール、近距離無線通信モジュール、又はＧＮＳＳ（ｇｌｏｂａｌ  ｎａｖｉｇａｔｉｏｎ  ｓａｔｅｌｌｉｔｅ  ｓｙｓｔｅｍ）通信モジュール）、又は有線通信モジュール１９４（例えば、ＬＡＮ（ｌｏｃａｌ  ａｒｅａ  ｎｅｔｗｏｒｋ）通信モジュール、又は電力線通信モジュール）を含み、その中に該当する通信モジュールを用いて第１ネットワーク１９８（例えば、ブルートゥース（登録商標）、ＷｉＦｉ  ｄｉｒｅｃｔ、又はＩｒＤＡ（ｉｎｆｒａｒｅｄ  ｄａｔａ  ａｓｓｏｃｉａｔｉｏｎ）のような近距離通信ネットワーク）又は第２ネットワーク１９９（例えば、セルラネットワーク、インターネット、又はコンピューターネットワーク（例えば、ＬＡＮ又はＷＡＮ）のような遠距離通信ネットワーク）を介して外部電子装置と通信する。上述した多くの種類の通信モジュール１９０は一つのチップで具現されるか又はそれぞれ別途のチップで具現される。
【００４２】
一実施形態によると、無線通信モジュール１９２は加入者識別モジュール１９６に記憶されたユーザ情報を用いて通信ネットワーク内で電子装置１０１を区別及び認証する。
【００４３】
アンテナモジュール１９７は、信号又は電力を外部に送信するか又は外部から受信するための一つ以上のアンテナを含む。一実施形態によると、通信モジュール１９０（例えば、無線通信モジュール１９２）は通信方式に適合したアンテナを介して信号を外部電子装置で送信するか又は外部電子装置から受信する。
【００４４】
上記構成要素中で一部構成要素は周辺機器間の通信方式（例えば、バス、ＧＰＩＯ（ｇｅｎｅｒａｌ  ｐｕｒｐｏｓｅ  ｉｎｐｕｔ／ｏｕｔｐｕｔ）、ＳＰＩ（ｓｅｒｉａｌ  ｐｅｒｉｐｈｅｒａｌ  ｉｎｔｅｒｆａｃｅ）、又はＭＩＰＩ（ｍｏｂｉｌｅ  ｉｎｄｕｓｔｒｙ  ｐｒｏｃｅｓｓｏｒ  ｉｎｔｅｒｆａｃｅ））を介して互いに接続されて信号（例えば、命令又はデータ）を相互間で交換する。
【００４５】
一実施形態によると、命令又はデータは第２ネットワーク１９９に接続されたサーバー１０８を介して電子装置１０１と外部の電子装置１０４との間で送信又は受信される。電子装置（１０２、１０４）のそれぞれは電子装置１０１と同一又は相違する種類の装置である。一実施形態によると、電子装置１０１で実行される動作の全部又は一部は他の一つ又は複数の外部電子装置で実行される。一実施形態によると、電子装置１０１がある機能やサービスを自動で又はリクエストによって実行しなければならない場合に、電子装置１０１は機能又はサービスを自体的に実行させる代りに又は追加的に、それに関連する少なくとも一部機能を外部電子装置にリクエストする。リクエストを受信した外部電子装置は、リクエストされた機能又は追加機能を実行し、その結果を電子装置１０１に伝達する。電子装置１０１は受信された結果をそのまま又は追加的に処理してリクエストされた機能やサービスを提供する。これのために、例えばクラウドコンピューティング、分散コンピューティング、又はクライアント−サーバーコンピューティング技術が用いられる。
【００４６】
図２Ａは、本発明の一実施形態による電子装置（例えば、２００、２３０、１０１）の前面を示す図である。
【００４７】
図２Ｂは、本発明の他の実施形態による電子装置（例えば、２００、２３０、１０１）の前面を示す図である。
【００４８】
図２Ａを参照すると、電子装置２００は、ディスプレー２１０の少なくとも一部領域に生体情報（例えば、指紋情報）を認識するための生体センサー２２０（例えば、指紋センサー）が形成される。例えば、生体センサー２２０がディスプレー２１０の少なくとも一部（例えば、ディスプレーの活性化領域（ａｃｔｉｖｅ  ａｒｅａ）又はＢＭ領域（ｂｌａｃｋ  ｍａｔｒｉｘ  ａｒｅａ））に形成されることによってユーザに対する生体情報獲得をディスプレー２１０に対するユーザ入力を用いて実行する。
【００４９】
図２Ｂを参照すると、電子装置２３０は、ディスプレー２４０の少なくとも一部に生体センサーを含み、生体センサー２５０が占める領域をディスプレー２４０で形成してディスプレーの大きさを拡張する。
【００５０】
図３は、本発明の一実施形態による電子装置（例えば、図２の電子装置（２００又は２３０）又は図１の電子装置１０１）のディスプレー３４０の少なくとも一部領域にユーザの生体情報を検出するための生体センサー（例えば、図２の生体センサー２２０、指紋センサー３３０、又は指紋センサー３８０）を実装した構造を示す図である。
【００５１】
本実施形態によると、電子装置は、透明部材３１０（例えば、ガラス）、指紋センサー３３０、ディスプレー３４０、指紋センサー３８０、又はＰＣＢ３９０を含む。透明部材３１０は、接着剤３２０を介して指紋センサー３３０、又はディスプレー３４０に接着される。
【００５２】
本実施形態によると、電子装置は、指紋センサー３８０の実装空間を確保するための構造物（３５０−１、及び３５０−２）を更に含む。この場合、構造物（３５０−１、３５０−２）は指紋センサー３８０を保護するためのシーリング構造の少なくとも一部を形成する。
【００５３】
一実施形態によると、指紋センサー（３３０、３８０）はディスプレー３４０の一部領域（例えば、一つの領域又は複数の領域）、又はディスプレーの全体領域（例えば、ディスプレーの活性化領域（ａｃｔｉｖｅ  ａｒｅａ））に形成される。
【００５４】
一実施形態によると、ディスプレーの一面（例えば、上面）（例えば、ディスプレーの一面上の別途の層（３３０）、又はディスプレーのピクセル３４１〜３４３が形成された面の少なくとも一部領域など）に生体情報を検出する生体センサー（３３０、３４４）が形成される。
【００５５】
一実施形態によると、ディスプレーの他面（例えば、背面）に生体センサー３８０が形成される。生体センサー（３３０、３４４、３８０）は、例えば光学方式のイメージセンサー、超音波方式の送／受信モジュール、又は静電方式の送／受信電極パターンを含む。
【００５６】
多様な実施形態によると、生体センサー３３０は接着層３２０とディスプレー３４０との間、又は透明部材３１０（例えば、ウィンドウガラス）と接着層３２０との間に形成される。一実施形態によると、生体センサー３３０は、静電方式の送／受信電極パターンで形成され、ディスプレー３４０から出力される光の透過率を高めるために透明な電極で形成される。一実施形態によると、生体センサー３３０は超音波方式の送／受信モジュールも含む。
【００５７】
多様な実施形態によると、電子装置は、ディスプレーの他の面に生体センサー３８０が形成される。生体センサー３８０とディスプレー３４０との間には生体センサー３８０とディスプレー３４０との間の衝撃緩和又は異物質流入を防止するための弾性体（３７０−１、３７０−２）（例えば、スポンジ又はゴムなど）が形成される。一実施形態によると、生体センサー３８０は、イメージセンサーを含む。例えば、イメージセンサーは、光源（例えば、ディスプレー３４０又はＩＲ  ＬＥＤ）から放出された光（例えば、可視光線、又は赤外線）をユーザの指紋に出力し、ユーザ指紋によって反射された光をイメージセンサーで検出する。
【００５８】
図４は、本発明の一実施形態による電子装置４００（例えば、図２の電子装置（２００又は２３０）又は図１の電子装置１０１）のブロック構成図である。
【００５９】
本実施形態によると、電子装置４００は、少なくとも一つのプロセッサ（例えば、第１プロセッサ４１０又は第２プロセッサ４２０）、メモリー４３０、ディスプレー４４０、又は少なくとも一つのセンサー４５０を含む。
【００６０】
一実施形態によると、第１プロセッサ４１０は電子装置４００の全般的な駆動を制御する。第２プロセッサ４２０（例えば、低電力プロセッサ又はセンサーＨＵＢ）は、電子装置４００がスリープ状態の場合、第１プロセッサ４１０をウェイクアップせずに、少なくとも一つのセンサー４５０を介して獲得されるセンサー情報、又はユーザから獲得される入力を処理する。
【００６１】
一実施形態によると、第２プロセッサ４２０は、生体センサー４５１、タッチセンサー４５２、又はディスプレーパネル４４０を第１プロセッサ４１０とは独立的に制御する。
【００６２】
本実施形態による電子装置４００はメモリー４３０を含む。
【００６３】
例えば、メモリー４３０は、ユーザアプリケーションなどを記憶するための一般領域、又は指紋センシングのための情報などのセキュリティに敏感な情報を記憶するためのセキュリティ領域を含む。
【００６４】
例えば、メモリー４３０は指紋認証に用いられる少なくとも一つのテンプレートを記憶する。例えば、メモリー４３０に記憶された少なくとも一つのテンプレートは、テンプレートを生成するために用いられたイメージに基づいてそれぞれ異なるカテゴリーで分類されて記憶される。
【００６５】
一実施形態によると、ディスプレーモジュール４４０は複数のピクセルを含むディスプレーパネル４４２、及びディスプレーパネル４４２に含まれる複数のピクセルのうちの少なくとも一部を制御して表示情報を提供するように設定されたディスプレー駆動モジュール（例えば、Ｄｉｓｐｌａｙ  Ｄｒｉｖｅｒ  ＩＣ（ＤＤＩ４４１）を含む。
【００６６】
一実施形態によると、センサー４５０は、ディスプレーモジュール４４０に対するユーザの指紋を検出するための生体センサー４５１（例えば、指紋センサー）、又はディスプレーモジュール４４０に対するユーザのタッチを検出するためのタッチセンサー４５２を含む。一実施形態によると、生体センサー４５１はディスプレーモジュールから出力された光を光源として用いる光学式指紋センサー（例えば、イメージセンサー）を含む。
【００６７】
多様な実施形態によると、少なくとも一つのセンサー４５０は、ユーザ入力に応答し、ディスプレー駆動ＩＣ（ＤＤＩ）４４１を介してディスプレーパネル４４２に含まれる複数のピクセルを駆動する。
【００６８】
一実施形態によると、少なくとも一つのセンサー４５０は、必要によりディスプレーパネル４４２を制御する。例えば、生体センサー４５１は、ユーザの生体情報を獲得するためにディスプレーパネル４４２を制御してディスプレーから放出される光を用いる。
【００６９】
図５は、本発明の他の実施形態による電子装置５００のブロック構成図である。
【００７０】
本実施形態によると、電子装置５００は、複数個のコントローラー（例えば、第１制御部５１２、第２制御部５２２、第３制御部５４３、第４制御部５５３、第５制御部５６０など）を含み、それぞれのコントローラーは、電子装置５００に含まれるモジュール（例えば、第１プロセッサ５１０、第２プロセッサ５２０、ＤＤＩ５４１、生体センサー５５１など）に含まれる。
【００７１】
例えば、電子装置５００は、第１制御部５１２を用いて第１プロセッサ５１０を制御し、第２制御部５２２を用いて第２プロセッサ５２０を制御する。また、電子装置５００は、第３制御部５４３、第４制御部５５３を用いて、第３制御部５４３、第４制御部５５３が含まれるモジュールを制御する。
【００７２】
一実施形態によると、一つのコントローラーを用いて電子装置５００のモジュールを制御する。
【００７３】
例えば、電子装置５００は、メインコントローラー（例えば、第５制御部５６０）を用いて複数個のコントローラー（例えば、第１制御部５１２、第２制御部５２２、第３制御部５４３、第４制御部５５３）を制御する。電子装置５００は、メインコントローラーを指定し、指定されたメインコントローラーにより他のコントローラーを制御する。例えば、電子装置５００は、第５制御部５６０から第１制御部５１２にメインコントローラーを変更／指定し、指定されたメインコントローラーを用いて他のコントローラーを制御する。
【００７４】
一実施形態によると、電子装置５００は、一つのコントローラーを用いて電子装置５００のモジュールを直接的に制御する。例えば、電子装置５００は第１プロセッサ５１０に含まれる第１制御部５１２を用いて、第２プロセッサ５２０、メモリー５３０、ディスプレー５４０、少なくとも一つのセンサー４５０などを制御する。
【００７５】
他の実施形態によると、ディスプレー５４０及び少なくとも一つのセンサー５５０を一つのコントローラーを介して制御する。例えば、ディスプレー５４０を光源として用いる光学式指紋センサーの場合、ディスプレー５４０及びセンサー５５０を一つのコントローラーを用いて制御することで、ユーザの生体情報を容易に獲得する。
【００７６】
図６は、本発明の一実施形態による認証に用いられるテンプレートを説明するための図である。
【００７７】
多様な実施形態によると、電子装置は生体センサー（例えば、指紋センサー）を用いてユーザの指紋情報を獲得する。例えば、生体センサーは電子装置のディスプレーの少なくとも一部領域の下方に配置されたイメージセンサーを含む。
【００７８】
例えば、ディスプレーは複数のピクセルを含み、複数のピクセルのうちの少なくとも一部は指紋情報を獲得するために用いられる光を外部に出力する。例えば、ユーザが外部客体（例えば、指）をディスプレーの上部の透明部材に接触させた場合、複数のピクセルから出力された光は外部客体によって反射されてイメージセンサーに入力される。例えば、イメージセンサーは反射された光に少なくとも基づいて外部客体（例えば、指の指紋）に対応するイメージを獲得する。イメージは、例えば指紋情報を含む。
【００７９】
図６を参照すると、電子装置は獲得されたイメージ６０１に含まれる指紋情報を用いてテンプレートを生成する。
【００８０】
例えば、テンプレートは一つの指に対応する一つのイメージ６０１）から獲得される複数個（例えば、１６個）のサブイメージ（６０２、６０３、６０４、…６１７）を含む。例えばテンプレートは、図６に示すように、指紋情報を含むイメージ６０１を指の位置によって所定の個数で分類して獲得されたサブイメージ（６０２、６０３、６０４、…６１７）を含む。例えば、サブイメージ（６０２、６０３、６０４、…６１７）は少なくとも一部領域が互いに重なる。
【００８１】
他の例として、テンプレートは指紋の各領域に対応する複数のサブイメージ（６０２、６０３、６０４、…６１７）をステッチングして獲得された単一イメージの形態であっても良い。
【００８２】
一実施形態によると、一つのテンプレートは、単一イメージから生成され、それぞれ異なる複数のイメージから生成されたサブイメージの組み合せから構成される。
【００８３】
図７は、一実施形態による指紋認証過程を説明するための図である。
【００８４】
多様な実施形態によると、電子装置のメモリー７００は少なくとも一つのテンプレートを記憶する。
【００８５】
例えば、電子装置は、指紋認証に用いられるテンプレートを生成及び記憶するために、ユーザから指紋情報を獲得する。
【００８６】
例えば、電子装置は、ディスプレーの複数のピクセルのうちの少なくとも一部から光を出力し、出力された光が、イメージセンサー上部の透明部材（例えば、ガラス）に接触された外部客体（例えば、ユーザの指）によって反射される程度に基づいて、指紋情報を含むイメージを獲得する。
【００８７】
電子装置は、イメージに少なくとも基づいてテンプレートを生成し、生成されたテンプレートをメモリー７００に記憶する。例えば、電子装置は、獲得されたイメージから特徴を抽出し、抽出された特徴に少なくとも基づいてテンプレートを生成する。
【００８８】
多様な実施形態によると、指紋情報を含むイメージは、イメージの獲得時のユーザの指の乾燥程度（又は油分の含有程度、温度状態など）によってそれぞれ異なる品質を有する。例えば、指紋の登録段階でテンプレートを生成するために用いられたイメージの品質と、その後の指紋認証段階で新しく獲得されたイメージの品質は、同一ユーザの指紋に基づいて獲得したイメージであってもユーザの指の乾燥程度によって、即ち指紋状態によってそれぞれ相違する。
【００８９】
例えば、指紋登録段階で、一ユーザの指からイメージを獲得してイメージを用いてテンプレートを生成する場合、指紋認識段階で更に同一ユーザの指を用いて指紋認証を実行してもユーザの指紋状態によって指紋認証が成功したり失敗したりする。
【００９０】
例えば、指紋登録段階で、水分が多い状態の指でテンプレートを生成した場合、指紋認証段階で、ユーザの指が水分の多い状態であれば認証に成功するが、ユーザの指が水分の少ない状態であれば認証に失敗する。
【００９１】
他の例として、指紋登録段階で、水分が少ない状態の指でテンプレートを生成した場合には、指紋認証段階で同一ユーザの指で認証を実行しても、ユーザの指が水分の多い状態であれば認証に失敗するが、ユーザの指が水分の少ない状態であれば認証に成功する。
【００９２】
多様な実施形態によると、電子装置はイメージセンサーから獲得されたイメージに含まれる情報に少なくとも基づいて各イメージの品質を判断する。ここで品質は、獲得されたイメージに対応する指紋の乾燥した程度を意味する。例えば、乾燥した指の指紋によって獲得されたイメージは水分が多い状態の指の指紋によって獲得されたイメージよりも相対的に指紋の屈曲が明らかではないように示される。
【００９３】
多様な実施形態による電子装置は、例えば局所明瞭度スコア（Ｌｏｃａｌ  ｃｌａｒｉｔｙ  ｓｃｏｒｅ）、オリエンテーションの確信レベル（Ｏｒｉｅｎｔａｔｉｏｎ  ｃｅｒｔａｉｎｔｙ  ｌｅｖｅｌ）、ファジー（Ｆｕｚｚｉｎｅｓｓ）、及び標準偏差（Ｓｔａｎｄａｒｄ  ｄｅｖｉａｔｉｏｎ）のうちの少なくとも一つの方式を用いてイメージの品質、即ちイメージを獲得するために用いられた指の指紋の乾燥程度を判断する。例えば、イメージの品質は同一ユーザによって獲得されたイメージの場合にも外部環境によって相違する。
【００９４】
図７を参照すると、多様な実施形態による電子装置は指紋登録段階で第１品質に対応する第１イメージを用いて第１テンプレート７１０を生成し、生成された第１テンプレート７１０をメモリー７００に記憶する。
【００９５】
例えば、指紋認証段階で、指紋を登録したユーザと同一ユーザによって指紋認証が実行される場合、第１イメージの品質（第１品質）と同一又は類似の品質のイメージを用いて第１テンプレート７１０に基づいて指紋認証を実行すると、電子装置は指紋認証が成功したと判断する。しかし、第１イメージの品質（第１品質）と相当の水準差がある品質（例えば、第２品質）のイメージを用いて第１テンプレート７１０に基づく指紋認証を実行する場合、電子装置は指紋登録段階で登録したユーザの指紋と指紋認証段階で認証を実行したユーザの指紋が互いに相違することによって指紋認証は失敗したと判断する。
【００９６】
本発明の多様な実施形態による電子装置は、指紋登録段階でイメージセンサーから第１品質に対応する第１イメージを獲得する場合、第１イメージを用いて第１テンプレート７１２を生成する。更に、電子装置は、イメージセンサーから第２品質に対応する第２イメージを獲得するか、又は第１イメージに少なくとも基づいて第２品質に対応する第２イメージを生成し、第２イメージを用いて第２テンプレート７１４を生成する。
【００９７】
例えば、指紋認証段階で、第１品質と同一又は類似の品質のイメージを用いて登録段階でのユーザと同一ユーザが認証を実行する場合、電子装置は第１品質に対応するイメージ７２２が第１テンプレート７１２に基づく指紋認証によって認証を成功したと判断する。
【００９８】
例えば、ユーザが第２品質と同一又は類似の品質のイメージを介して認証を実行する場合、電子装置は第２品質に対応するイメージ７２４が第２テンプレート７１４に基づく指紋認証によってユーザの認証が成功したと判断する。
【００９９】
図８Ａは、本発明の一実施形態による指紋登録方法に関するフローチャートである。
【０１００】
多様な実施形態によると、指紋登録段階で、電子装置は指紋情報を含むイメージを用いてテンプレートを生成してメモリーに記憶する。
【０１０１】
図８Ａを参照すると、多様な実施形態による電子装置（例えば、図５の第１プロセッサ５１０）は動作８１０でユーザの指紋情報に関するイメージを獲得する。例えば、電子装置は生体センサーを用いて指紋情報を含むイメージを獲得する。
【０１０２】
多様な実施形態による電子装置（例えば、図５の第１プロセッサ５１０）は、動作８１２で、獲得されたイメージから所定の特徴（ｍｉｎｕｔｉａ）を抽出する。例えば、特徴（ｍｉｎｕｔｉａ）はイメージから獲得される指紋の固有特性情報を含む。例えば、指紋は山（ｒｉｄｇｅ）領域及び谷（ｖａｌｌｅｙ）領域を含み、特徴（ｍｉｎｕｔｉａ）は指紋の山（ｒｉｄｇｅ）領域の分岐点又は山（ｒｉｄｇｅ）領域の終点に基づいて抽出される。
【０１０３】
他の実施形態によると、図８Ａに示す方法とは異なり、電子装置は動作８１２を他の動作で置き換えるか又は省略する。
【０１０４】
例えば、電子装置は、獲得されたイメージから特徴点（ｍｉｎｕｔｉａ）を抽出するか、又は獲得されたイメージのパターンを抽出する。更に、電子装置は、特徴点及びイメージパターンのいずれをも抽出することもできる。
【０１０５】
多様な実施形態によると、電子装置は獲得さｒてたイメージ又はイメージから抽出された特徴に少なくとも基づいてイメージの品質を判断する。例えば、イメージの品質はイメージに対応する指紋の乾燥程度によって決定される。例えば、ユーザの環境が乾燥した環境の場合、ユーザの指紋湿気などが乾燥した状態になり、電子装置の指紋認識領域を介して正確な指紋イメージを得ることができない。例えば、乾燥した状態における指紋を介して獲得されたイメージの品質は湿った状態における指紋を介して獲得されたイメージの品質よりも低いことがある。
【０１０６】
例えば、イメージの品質を判断する動作は、局所明瞭度スコア（Ｌｏｃａｌ  ｃｌａｒｉｔｙ  ｓｃｏｒｅ）、オリエンテーションの確信レベル（Ｏｒｉｅｎｔａｔｉｏｎ  ｃｅｒｔａｉｎｔｙ  ｌｅｖｅｌ）、ファジー（Ｆｕｚｚｉｎｅｓｓ）、及び標準偏差（Ｓｔａｎｄａｒｄ  ｄｅｖｉａｔｉｏｎ）のうちの少なくとも一つの方法が用いられる。また、局所明瞭度スコア（Ｌｏｃａｌ  ｃｌａｒｉｔｙ  ｓｃｏｒｅ）、オリエンテーションの確信レベル（Ｏｒｉｅｎｔａｔｉｏｎ  ｃｅｒｔａｉｎｔｙ  ｌｅｖｅｌ）、ファジー（Ｆｕｚｚｉｎｅｓｓ）、及び標準偏差Ｓｔａｎｄａｒｄ  ｄｅｖｉａｔｉｏｎ）以外の他の方法が用いられる。
【０１０７】
例えば、電子装置はイメージの品質を判断して品質に関する品質指数を数値化する。
【０１０８】
例えば、電子装置（例えば、図５の第１プロセッサ５１０）は動作８１４で判断されたイメージの品質が予め設定された条件（例えば、第１条件）に該当するか否かを判断する。
【０１０９】
例えば、電子装置は、イメージの品質が第１条件（例えば、第１基準値以上）に該当するか否かを判断する。
【０１１０】
例えば、電子装置はイメージの品質が第１条件（例えば、第１基準値以上）に該当すると判断された場合、動作８１６で、イメージに基づいてテンプレートを生成し、生成されたテンプレートをメモリーに記憶する。
【０１１１】
動作８１８で、電子装置は、イメージの品質が予め設定された第１条件（例えば、第１基準値以上）に符合しない場合、イメージの品質が第２条件（例えば、第２基準値以上）に符合するか否かを判断する。例えば、電子装置はイメージの品質が第２基準値以上であるか否かによってそれぞれ相違する動作を実行する。
【０１１２】
例えば、イメージの品質が第２条件（例えば、第２基準値以上）の品質に該当すると判断された場合、動作８２２で、電子装置はイメージに対する所定の加工を実行する。例えば、電子装置は加工を介して第１品質に対応する第１イメージを用いて第２品質に対応する第２イメージを生成する。加工は、正規化（ｎｏｒｍａｌｉｚｅ）、コントラスト強調（ｃｏｎｔｒａｓｔ  ｅｎｈａｎｃｅｍｅｎｔ）、バンドパスフィルター（ｂａｎｄｐａｓｓ  ｆｉｌｔｅｒ）、及びガボールフィルター（Ｇａｂｏｒ  ｆｉｌｔｅｒ）のうちの少なくとも一つの方法を介して実行される。また、加工は、正規化（ｎｏｒｍａｌｉｚｅ）、コントラスト強調（ｃｏｎｔｒａｓｔ  ｅｎｈａｎｃｅｍｅｎｔ）、バンドパスフィルター（ｂａｎｄｐａｓｓ  ｆｉｌｔｅｒ）、及びガボールフィルター（Ｇａｂｏｒ  ｆｉｌｔｅｒ）の方法以外にも他の公知の方法を介して実行される。
【０１１３】
多様な実施形態によると、電子装置は、加工されたイメージ（例えば、第２品質に対応する第２イメージ）に基づいてテンプレートを生成し、生成されたテンプレートをメモリーに記憶する。
【０１１４】
例えば、電子装置は、獲得されたイメージが第１基準値以上の品質に該当する場合、別途のイメージ加工なしにイメージを介してテンプレートを生成し、生成されたテンプレートを記憶する。一実施形態によると、電子装置は、イメージ加工過程なしにイメージセンサーから直接獲得されたイメージを介して生成されたテンプレートの場合、テンプレートを基準テンプレートとしてメモリーに記憶する。他の実施形態によると、電子装置はイメージ加工過程によって生成されたイメージ（例えば、第２品質に対応するイメージ）を介して生成されたテンプレートの場合、このテンプレートをサブテンプレートとしてメモリーに記憶する。
【０１１５】
一実施形態によると、基準テンプレートは、指紋認証段階でイメージと優先的に認証を実行する対象となるテンプレートを意味する。また、サブテンプレートは、基準テンプレートに基づいて認証を実行した後、認証が失敗した場合に、次の認証に用いられるテンプレートを意味する。
【０１１６】
他の実施形態によると、基準テンプレートは、電子装置によって加工されたイメージを介して生成されたテンプレートではないユーザから直接獲得されたイメージを介して生成されたテンプレートを意味する。
【０１１７】
例えば、指紋認証段階で実行された認証が基準テンプレートに基づいて成功した場合、電子装置は予め設定された認証成功に対応する機能に対する全てのアクセスを許容する。他の例として、指紋認証段階で実行された認証が基準テンプレートではない他のサブテンプレートに基づいて成功した場合、電子装置は予め設定された認証成功に対応する機能のうちの少なくとも一部に対するアクセスのみを許容する。
【０１１８】
多様な実施形態によると、動作８２０で、電子装置はイメージの品質が第１条件及び第２条件に両方とも符合しないと判断した場合、例えばイメージ品質が第１基準値未満であり第２基準値未満の場合、イメージ獲得のための条件を変更する。
【０１１９】
例えば、電子装置はイメージ獲得のための条件を変更するためにディスプレーの複数のピクセル又はイメージセンサーのうちの少なくとも一つの設定を変更する。例えば、電子装置は、複数のピクセルから出力される光の強度を大きく調節するか、又はイメージセンサーの感度を高く設定変更する。
【０１２０】
一実施形態によると、第１条件以上の品質を確認する動作８１４と第２条件以上の品質を確認する動作８１８は、一度の品質確認動作によって行われる。例えば、電子装置は、イメージの品質を判断し、品質値を予め設定された基準値（第１基準値及び第２基準値）に基づいて所定の基準（第１基準及び第２基準）に符合するか否かを判断し、動作８１６のテンプレート生成動作を実行するか、動作８２２のイメージ加工動作を実行するか、又は動作８２０のイメージ獲得条件の変更動作を実行する。
【０１２１】
図８Ｂは、本発明の一実施形態による指紋認証方法に関するフローチャートである。
【０１２２】
図８Ｂを参照すると、多様な実施形態による電子装置は指紋認証のために動作８３０でイメージセンサーを用いてイメージを獲得する。
【０１２３】
多様な実施形態によると、電子装置は、動作８３２で、獲得されたイメージから特徴を抽出する。他の実施形態によると、電子装置は動作８３２を含まずに獲得されたイメージ自体から次の動作を実行する。
【０１２４】
電子装置は、動作８３４で、獲得されたイメージ又は抽出された特徴のうちの少なくとも一つを用いてイメージに対する品質を判断し、イメージに対する品質が予め設定された基準に符合するか否かを判断する。
【０１２５】
例えば、イメージの品質を判断する動作は、イメージ上の山（ｒｉｄｇｅ）領域と谷（ｖａｌｌｅｙ）領域がどの程度明確に区分されるかに関する尺度である局所明瞭度スコア（Ｌｏｃａｌ  ｃｌａｒｉｔｙ  ｓｃｏｒｅ）、山（ｒｉｄｇｅ）領域及び谷（ｖａｌｌｅｙ）領域の方向性情報に基づく尺度であるオリエンテーションの確信レベル（Ｏｒｉｅｎｔａｔｉｏｎ  ｃｅｒｔａｉｎｔｙ  ｌｅｖｅｌ）、イメージのはっきりしない程度を示すファジー（Ｆｕｚｚｉｎｅｓｓ）、及び山（ｒｉｄｇｅ）領域と谷（ｖａｌｌｅｙ）領域との間の明暗偏差に基づく標準偏差（Ｓｔａｎｄａｒｄ  ｄｅｖｉａｔｉｏｎ）方式のうちの少なくとも一つの方法が用いられる。例えば、電子装置はイメージに対する品質を品質指数として数値化する。
【０１２６】
電子装置はイメージの品質が予め設定された条件（例えば、第１条件）に該当するか否かを判断する。例えば、電子装置はイメージの品質が第１基準値以上であるか否かを判断する。
【０１２７】
例えば、動作８３４で、イメージ品質が第１基準値以上と判断された場合、電子装置はイメージ及び指紋登録段階を介して予め記憶されたテンプレートに少なくとも基づいて指紋認証を実行する。
【０１２８】
例えば、動作８３８で、電子装置はイメージ品質が第１条件に符合しない場合（例えば、イメージの品質が第１基準値未満の場合）、イメージの品質が予め設定された第２条件に符合するか否かを判断する。
【０１２９】
例えば、第２条件はイメージ品質が第２基準値以上である否かを意味する。
【０１３０】
例えば、電子装置は、動作８４２で、イメージ品質が第１条件には符合しないが第２条件には符合する場合、イメージに対する加工を実行する。例えば、加工は、正規化（ｎｏｒｍａｌｉｚｅ）、コントラスト強調（ｃｏｎｔｒａｓｔ  ｅｎｈａｎｃｅｍｅｎｔ）、バンドパスフィルター（ｂａｎｄｐａｓｓ  ｆｉｌｔｅｒ）、及びガボールフィルター（Ｇａｂｏｒ  ｆｉｌｔｅｒ）のうちの少なくとも一つの方法を介して実行される。
【０１３１】
多様な実施形態によると、動作８３６で、電子装置は加工されたイメージ及び予め記憶されたテンプレートに基づいて指紋認証を実行する。
【０１３２】
例えば、動作８４０で、電子装置はイメージ品質が第１条件及び第２条件に両方とも符合しない場合（例えば、イメージ品質が第１基準値未満及び第２基準値未満の場合）、イメージ獲得条件を変更する。
【０１３３】
例えば、電子装置はイメージ獲得のための条件を変更するためにディスプレーの複数のピクセル又はイメージセンサーのうちの少なくとも一つの設定を変更する。例えば、電子装置は、複数のピクセルから出力される光の強度を大きく調節するか、又はイメージセンサーの感度を高く設定変更する。
【０１３４】
図８Ｂに示したものとは異なり、多様な実施形態による電子装置は獲得されたイメージ（又はイメージから抽出された特徴）を用い、予め記憶された少なくとも一つのテンプレートに少なくとも基づいて指紋認証を実行する。例えば、電子装置は認証結果に基づいて認証に成功した場合、認証成功に対応する機能を提供し、認証に失敗した場合、図８Ｂの動作８３４のようにイメージの品質判断及びイメージの品質が予め設定された基準に符合するか否かの判断を実行する。
【０１３５】
例えば、電子装置はイメージを獲得して優先的に認証成功可否を判断した後、認証に失敗した場合に限ってイメージの品質が予め設定された基準に符合するか否かによってイメージを加工するか又はイメージ獲得条件を変更する動作を実行する。
【０１３６】
他の例として、電子装置はイメージを獲得すると、認証可否を判断する前に、優先的にイメージに対する品質を判断し、予め設定された条件に符合する場合（第１条件及び／又は第２条件）、各条件に対応する動作によって認証を実行するか、イメージを加工するか、又はイメージ獲得条件を変更する。
【０１３７】
図８Ｃは、本発明の一実施形態による指紋認証段階で加工されたイメージを用いて認証を実行する方法に関するフローチャートである。
【０１３８】
図８Ｃを参照すると、多様な実施形態による電子装置はイメージセンサーから獲得されたイメージの品質が予め設定された基準に符合する場合、獲得されたイメージを用いてイメージ加工を実行し、動作８５１で、加工されたイメージを用いて認証可否を判断する。例えば、イメージの品質が予め設定された基準に符合するか否かの判断は、図８Ｂの動作８３４及び動作８３８によって行われる。また、イメージ加工動作は図８Ｂの動作８４２又は図８Ａの動作８２２の方式で実行される。
【０１３９】
例えば、加工されたイメージはイメージセンサーから獲得されたイメージの品質（例えば、第１品質）と相違する品質（例えば、第２品質）に相当する。例えば、加工が実行される前のイメージは加工されたイメージよりも相対的に乾燥した状態の指紋に対応する。例えば、相対的に乾燥した状態の指紋で獲得されたイメージは指紋の山（ｒｉｄｇｅ）領域と谷（ｖａｌｌｅｙ）領域との間の区分が明確ではない。
【０１４０】
多様な実施形態によると、電子装置は動作８５２で加工されたイメージを用いて実行された指紋認証が成功したか否かを判断する。例えば、認証はメモリーに予め記憶されたテンプレートの少なくとも一部に基づいて実行される。
【０１４１】
例えば、動作８５３で、電子装置は指紋認証が成功したと判断した場合、予め記憶された認証成功に対応する機能を実行する。例えば、加工されたイメージを用いて実行された指紋認証が成功したと判断された場合、電子装置は所定の機能に対するアクセスを許容する。ここで所定の機能は加工されないオリジナルイメージを用いて指紋認証が実行されて成功した時のアクセス許容される機能中の少なくとも一部に該当する。
【０１４２】
更に、動作８５４で、電子装置は指紋認証が失敗したと判断した場合、予め記憶された認証失敗に対応する機能を実行する。例えば、認証失敗に対応する機能は指紋認証失敗に関する通知を表示する機能を含む。
【０１４３】
多様な実施形態によると、電子装置は、動作８５５で、加工されたイメージを用いて実行された指紋認証が成功したと判断された場合、イメージ加工に用いられた原本イメージに基づいてテンプレートを生成し、生成されたテンプレートをメモリーに記憶する。
【０１４４】
図８Ｄは、本発明の他の実施形態による指紋認証方法に関するフローチャートである。
【０１４５】
多様な実施形態によると、電子装置は、イメージセンサーを介して外部客体に対応するイメージを獲得し、獲得されたイメージを用いて指紋認証を実行する。
【０１４６】
多様な実施形態によると、電子装置は、メモリーに基準テンプレート及び少なくとも一つのサブテンプレートを記憶する。
【０１４７】
一実施形態によると、基準テンプレートは、指紋認証に対する誤認識率が低いようにするためにイメージに対応する指紋が乾燥しない状態の品質のイメージを介して生成されたテンプレートを意味する。
【０１４８】
他の実施形態によると、基準テンプレートは、加工されたイメージから生成されたテンプレートではなく、イメージセンサーを介して獲得されたオリジナルイメージから生成されたテンプレートを意味する。
【０１４９】
図８Ｄを参照すると、本実施形態による電子装置は、動作８６０で、認証しようとする指紋情報を含むイメージに対して基準テンプレートに基づいて指紋認証を実行する。
【０１５０】
次に、動作８６１で、電子装置は実行された指紋認証の成功可否を判断する。
【０１５１】
例えば、動作８６１で、電子装置が、指紋認証が成功したと判断した場合、電子装置は認証成功に対応する機能を実行する。
【０１５２】
多様な実施形態によると、動作８６２で、電子装置が、指紋認証が失敗したと判断した場合、電子装置はサブテンプレートのうちの少なくとも一つに基づいて指紋認証を実行する。
【０１５３】
一実施形態によると、電子装置は、少なくとも一つのサブテンプレート中の認証を実行しようとするイメージの品質に対応する特定サブテンプレートに基づいて優先的に認証を実行する。
【０１５４】
例えば、電子装置は、認証を実行しようとするイメージの品質が＃３に該当すると判断した場合、＃３に対応するテンプレートを他のテンプレートよりも優先して認証に用いる。例えば、電子装置は、＃３に対応するテンプレートに基づく認証が失敗した場合、残りの他のサブテンプレートに基づいて順次に認証を実行する。
【０１５５】
例えば、サブテンプレートのうちの少なくとも一つに基づく指紋認証に失敗したと判断された場合、電子装置は動作８６４で認証失敗に対応する機能を実行する。
【０１５６】
例えば、サブテンプレートのうちの少なくとも一つに基づく指紋認証に成功したと判断された場合、電子装置は動作８６５で認証成功に対応する機能を実行する。
【０１５７】
上記のように基準テンプレートに基づいて優先的に指紋認証を実行し、基準テンプレートに基づく指紋認証に失敗した場合に限ってサブテンプレートに基づいて指紋認証を実行することによって、電子装置は相対的に誤認識率が低い基準テンプレートを介して演算速度の側面で効率的に指紋認証を実行することができる。
【０１５８】
図８Ｅは、本発明の更に他の実施形態による指紋認証方法に関するフローチャートである。
【０１５９】
本実施形態による電子装置は、動作８７０で、生体センサー（例えば、イメージセンサー）を用いて指紋情報を含むイメージを獲得する。
【０１６０】
例えば、動作８７１で電子装置は獲得されたイメージから特徴を抽出する。他の例によると、電子装置は、動作８７１無しに、獲得されたイメージに対する別途の特徴抽出動作なしに獲得されたイメージと少なくとも一つのテンプレートとを用いて認証を実行する。
【０１６１】
本実施形態によると、動作８７２で、電子装置は獲得されたイメージ又は抽出された特徴のうちの少なくとも一つを用いてイメージの品質を判断する。例えば、電子装置はイメージの品質を判断するためにイメージの黒白分布程度を標準偏差などの方式に数値化し、数値化された値に基づいてイメージの品質指数を決定する。
【０１６２】
本実施形態によると、動作８７３で、電子装置はイメージの品質（品質指数）に対応するテンプレートを用いて指紋認識を実行する。
【０１６３】
例えば、電子装置はイメージの品質指数が＃３に該当すると判断した場合、品質指数＃３に対応する品質のイメージから生成されたテンプレートを用いて指紋認識を実行する。
【０１６４】
次に、動作８７４で、イメージの品質指数に対応するテンプレートを用いた認証が成功したか否かを判断する。
【０１６５】
例えば、イメージの品質指数に対応するテンプレートに基づいてイメージに対する指紋認証を実行した結果、認証が成功したと判断された場合、電子装置は動作８７８で、認証成功に対応する機能を実行する。例えば、認証成功に対応する機能は所定の機能に対するアクセスを許容する機能を含む。
【０１６６】
例えば、電子装置は、動作８７５で、イメージが品質指数に対応するテンプレート以外の残りのテンプレートに対応するか否かを判断することによって指紋認識を実行する。
【０１６７】
例えば、電子装置は、動作８７７及び動作８７８で、残りテンプレートに基づいて認証結果によって対応する機能を行う。
【０１６８】
多様な実施形態によると、電子装置は少なくとも一つのテンプレートをメモリーに記憶する。例えば、電子装置は認証に用いられるイメージの品質に対応する品質と同一又は類似の品質のイメージから生成されたテンプレートを比べる指紋認証を優先的に実行することによって電子装置の認証に必要となる時間を最小化することができる。
【０１６９】
図９Ａ及び図９Ｂは、本発明の一実施形態によるイメージの品質判断方法を説明するための図である。
【０１７０】
多様な実施形態によると、電子装置は、品質を判断しようとするイメージに含まれる情報から、イメージの黒白分布程度を確認する。
【０１７１】
一実施形態によると、図９Ａに示すイメージは、イメージを構成するそれぞれの領域の中で黒色から構成された領域の比重と白色から構成された領域の比重が中間色相から構成された領域の比重よりも相対的に高いことを確認する。
【０１７２】
例えば、イメージを構成する色相のうちで黒色及び白色が他の中間色相よりもそれぞれ多く分布する場合、イメージから指紋の屈曲された形態を判断しやすいため、品質指数が相対的に高いと判断する。
【０１７３】
他の例によると、図９Ｂに示すイメージは、イメージを構成するそれぞれの領域のうちで黒色から構成された領域よりも白色から構成された領域の比重がより高いことを確認することができる。
【０１７４】
例えば、イメージを構成する色相のうちで黒色よりも白色が相対的により多く分布する場合、指紋の山（ｒｉｄｇｅ）領域と谷（ｖａｌｌｅｙ）領域が明らかに区別されないためにイメージから指紋の屈曲された形態を判断しにくいことがある。例えば、図９Ｂに示したイメージの品質指数は相対的に低いと判断する。
【０１７５】
多様な実施形態によると、電子装置はイメージの黒白分布程度を標準偏差などの方式に数値化する。
【０１７６】
例えば、図９Ａのイメージの黒白分布程度に基づいて得られた標準偏差の大きさは図９Ｂのイメージの黒白分布程度に基づいて得られた標準偏差よりも大きくなる。例えば、電子装置はイメージの黒白分布程度を数値化した値を用いてイメージの品質指数を判断する。
【０１７７】
図９Ｃは、一実施形態による少なくとも一つのテンプレートを説明するための図である。
【０１７８】
本実施形態によると、電子装置は少なくとも一つのテンプレートをメモリーに記憶する。例えば、少なくとも一つのテンプレートは基準テンプレート９１０及び一つ以上のサブテンプレート９２０（例えば、第１サブテンプレート９２１、第２サブテンプレート９２２）を含む。
【０１７９】
多様な実施形態によると、基準テンプレート９１０は、指紋認証段階でイメージセンサーを介して獲得された第１イメージ又は第１イメージを加工して生成された第２イメージを用いて指紋認証を実行する場合、メモリーに記憶されている他のテンプレートよりも優先して認証に用いられるテンプレートを意味する。
【０１８０】
多様な実施形態によると、基準テンプレート９１０は、基準テンプレート９１０が生成された後に実行された指紋認証段階又は指紋登録段階において、追加的に獲得されたイメージから生成されてメモリーに記憶された他の追加テンプレートとの品質比較を介してアップデートされる。
【０１８１】
例えば、基準テンプレート９１０は、他のテンプレート（例えば、一つ以上のサブテンプレート９２１）と比べる場合に最も品質指数が高いテンプレートにアップデートされる。例えば、品質指数の高いテンプレートはテンプレートの生成に用いられるイメージに対応する指紋が水分の相対的に多い状態で入力されたものであることを意味する。例えば、品質指数の高いテンプレートはテンプレートに基づいて実行された指紋認識で誤認識率が低いテンプレートを意味する。
【０１８２】
多様な実施形態によると、電子装置は、一つ以上のサブテンプレートを各テンプレートの生成に用いられたイメージの品質に対応して各品質に対応するサブテンプレートに分類する。テンプレートは図９Ｃに示すように指紋領域によって分類された複数個のサブイメージを含む。他の実施形態によると、テンプレートは、図９Ｃに示されたものとは異なり、それぞれのサブイメージをステッチングすることによって獲得可能な単一イメージの形態である。
【０１８３】
多様な実施形態によると、電子装置は追加的に獲得されたイメージから追加テンプレートを生成してメモリーに予め記憶されていたテンプレートとの品質比較を介して追加テンプレートの少なくとも一部を予め記憶されていたテンプレートのうちの少なくとも一部に置き換えるか又は追加して記憶する。
【０１８４】
例えば、電子装置が指紋認証段階で獲得されたイメージを用いてテンプレートのアップデートを進行する場合、電子装置はイメージを用いてイメージの認証に用いられたテンプレートのうちの少なくとも一部にアップデートする。
【０１８５】
図１０は、一実施形態による電子装置の認証方法別の機能提供程度を説明するための図である。
【０１８６】
図１０を参照すると、多様な実施形態による電子装置は指紋認証結果に基づいて所定の機能に対するアクセスを許容する。
【０１８７】
例えば、電子装置のメモリーに記憶されたテンプレートは、オリジナルイメージから生成された第１テンプレート及び基本イメージに対する加工過程を経た加工イメージから生成された第２テンプレートを含む。
【０１８８】
多様な実施形態によると、電子装置はテンプレートがオリジナルイメージから生成されたか、或いは加工されたイメージから生成されたか否かに基づいて、指紋認証の成功時にアクセスが許容される機能を少なくとも一部制限する。
【０１８９】
例えば、指紋認証段階でイメージがオリジナルイメージから生成された第１テンプレートに基づいて認証に成功した場合、電子装置は認証成功に対応する機能全体に対するアクセスを許容する。
【０１９０】
他の例として、指紋認証段階でイメージが加工されたイメージから生成された第２テンプレートに基づいて認証に成功した場合、電子装置は予め設定された基準に基づいて認証成功に対応する機能のうちの少なくとも一部に対する機能のアクセスを許容し、一部機能に対するアクセスを制限する。
【０１９１】
他の実施形態によると、電子装置は指紋認証段階で指紋認識に用いられるイメージが、イメージセンサーから獲得された第１イメージであるか、或いはイメージセンサーから獲得されたイメージを加工した第２イメージである否かに基づいて、指紋認証成功時のアクセスが許容される機能を少なくとも一部制限する。
【０１９２】
例えば、指紋認証段階で、イメージセンサーから獲得された第１イメージを用い、少なくとも一つのテンプレートに基づいて認証に成功した場合、電子装置は認証成功に対応する機能全体に対するアクセスを許容する。
【０１９３】
他の例として、指紋認証段階でイメージセンサーから直接獲得された第１イメージではなく、第１イメージの加工を介して生成された第２イメージを用いて認証に成功した場合、電子装置は認証成功に対応する機能のうちの少なくとも一部に対する機能のアクセスを許容するが一部機能に対するアクセスを制限する。
【０１９４】
多様な実施形態によると、電子装置は、誤認識によって指紋認識が成功する可能性を考慮し、所定の認証方法を介して認証を成功した場合にはセキュリティレベルを差等的に提供する。
【０１９５】
本明細書に開示した多様な実施形態による電子装置は多様な形態の装置となる。電子装置は、例えば携帯用通信装置（例えば、スマートフォン）、コンピューター装置、携帯用マルチメディア装置、携帯用医療機器、カメラ、ウェアラブル装置、又は家電装置のうちの少なくとも一つを含む。本明細書の実施形態による電子装置は上述した機器に限定されない。
【０１９６】
本明細書の多様な実施形態及びここに用いられた用語は本明細書に記載された技術を特定の実施形態に限定しようとするものではなく、当該実施形態の多様な変更、均等物、及び／又は代替物を含むものと理解されなければならない。図面の説明に関連して類似の構成要素に対しては類似の参照符号が用いられる。単数の表現は、文脈上明白に異なるように意図しない限り、複数の表現を含む。本明細書において、“Ａ又はＢ”、“Ａ及び／又はＢのうちの少なくとも一つ”、“Ａ、Ｂ又はＣ”又は“Ａ、Ｂ及び／又はＣのうちの少なくとも一つ”などの表現は共に羅列された項目の全ての可能な組み合わせを含む。“第１”、“第２”、“一番目”又は“二番目”などの表現は、当該構成要素を、順序又は重要度に拘わらずに修飾し、一つの構成要素を他の構成要素と区分するために用いられるだけであって、当該構成要素を限定しない。ある（例えば、第１）構成要素が他の（例えば、第２）構成要素に“（機能的又は通信的に）連結されて”いるか“接続されて”いると言及する場合には、ある構成要素が他の構成要素に直接的に連結されるか、又は他の構成要素（例えば、第３構成要素）を介して連結される。
【０１９７】
本明細書で用いられた用語“モジュール”は、ハードウェア、ソフトウェア、又はファームウエアから構成されたユニットを含み、例えばロジック、論理ブロック、部品、又は回路などの用語と相互互換的に用いられる。モジュールは、一体で構成された部品又は一つ又はそれ以上の機能を実行する最小単位又はその一部となる。例えば、モジュールはＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）から構成される。
【０１９８】
本明細書の多様な実施形態は、機器（ｍａｃｈｉｎｅ）（例えば、コンピューター）で読み取り可能な記憶媒体（ｍａｃｈｉｎｅ−ｒｅａｄａｂｌｅ  ｓｔｏｒａｇｅ  ｍｅｄｉａ）（例えば、内装メモリー１３６又は外装メモリー１３８）に記憶された命令語（又は、インストラクション（ｉｎｓｔｒｕｃｔｉｏｎ））を含むソフトウェア（例えば、プログラム１４０）で具現される。機器は、記憶媒体から、記憶された命令語を呼び出し、呼び出しされた命令語によって動作が可能な装置として、開示された実施形態による電子装置（例えば、電子装置１０１）を含む。命令がプロセッサ（例えば、プロセッサ１２０）によって実行される場合、プロセッサが直接、又はプロセッサの制御下に他の構成要素を用いて命令に該当する機能を実行する。命令はコンパイラー又はインタプリターによって生成又は実行されるコードを含む。機器で読み取り可能な記憶媒体は、非一時的（ｎｏｎ−ｔｒａｎｓｉｔｏｒｙ）記憶媒体の形態で提供される。ここで、‘非一時的’は記憶媒体が信号（ｓｉｇｎａｌ）を含まずに実在（ｔａｎｇｉｂｌｅ）するということを意味するだけであり、データが記憶媒体に半永久的又は臨時的に記憶されることを区分しない。
【０１９９】
一実施形態によると、本明細書に開示された多様な実施形態による方法は、コンピュータープログラム製品（ｃｏｍｐｕｔｅｒ  ｐｒｏｇｒａｍ  ｐｒｏｄｕｃｔ）に含まれて提供される。コンピュータープログラム製品は商品として販売者及び購買者間で取り引きされる。コンピュータープログラム製品は機器に読み取り可能な記録媒体（例えば、ｃｏｍｐａｃｔ  ｄｉｓｃ  ｒｅａｄ  ｏｎｌｙ  ｍｅｍｏｒｙ（ＣＤ−ＲＯＭ））の形態で、又はアプリケーションストア（例えば、プレーストア（登録商標））を介してオンラインで配布される。オンライン配布の場合に、コンピュータープログラム製品の少なくとも一部は、製造社のサーバー、アプリケーションストアのサーバー、又は中継サーバーのメモリーのような記憶媒体に少なくとも一時記憶されるか、又は臨時的に生成される。
【０２００】
多様な実施形態による構成要素（例えば、モジュール又はプログラム）のそれぞれは、単数又は複数の個体で構成され、上述した当該サブ構成要素のうちの一部サブ構成要素が省略されるか、又は他のサブ構成要素が多様な実施形態に更に含まれる。大体的又は追加的に、一部構成要素（例えば、モジュール又はプログラム）は一つの個体に統合され、統合される前のそれぞれの当該構成要素によって行われる機能を同一又は類似に実行する。多様な実施形態によるモジュール、プログラム又は他の構成要素によって実行される動作は、順次、並列的、繰り返し的、又はヒューリスティックに実行されるか、少なくとも一部動作が他の手順で実行されるか、省略されるか、又は他の動作が追加される。
【０２０１】
以上、本発明の実施形態について図面を参照しながら詳細に説明したが、本発明は、上述の実施形態に限定されるものではなく、本発明の技術的範囲から逸脱しない範囲内で多様に変更実施することが可能である。
【符号の説明】
【０２０２】
１００    ネットワーク環境
１０１、１０２、１０４、２００、２３０、４００、５００    電子装置
１０８    サーバー
１２０    プロセッサ
１２１    メインプロセッサ
１２３    補助プロセッサ
１３０、４３０、５３０、７００    メモリー
１３２    揮発性メモリー
１３４    非揮発性メモリー
１３６    内装メモリー
１３８    外装メモリー
１４０    プログラム
１４２    オペレーティングシステム
１４４    ミドルウェア１４４
１４６    アプリケーション
１５０    入力装置
１５５    音響出力装置
１６０    表示装置
１７０    オーディオモジュール
１７６    センサーモジュール
１７７    インターフェース
１７８    接続端子
１７９    ハプティックモジュール
１８０    カメラモジュール
１８８    電力管理モジュール
１８９    バッテリー
１９０    通信モジュール
１９２    無線通信モジュール
１９４    有線通信モジュール
１９６    加入者識別モジュール
１９７    アンテナモジュール
１９８    第１ネットワーク
１９９    第２ネットワーク１９９
２１０、２４０、３４０、４４０、５４０    ディスプレー
２２０、２５０、４５１、５５１    生体センサー
３１０    透明部材
３２０    接着剤
３３０、３４４、３８０    指紋センサー（生体センサー）
３４１〜３４３、５４２    ピクセル
３５０−１、３５０−２    構造物
３７０−１、３７０−２    弾性体
３９０    ＰＣＢ
４１０、５１０    第１プロセッサ
４２０、５２０    第２プロセッサ
４４１、５４１    ＤＤＩ（ディスプレイ駆動ＩＣ）
４４２    ディスプレーパネル
４５０、５５０    センサー
４５２、５５２    タッチセンサー
５１２    第１制御部
５２２    第２制御部
５４３    第３制御部
５５３    第４制御部
５６０    第５制御部
６０１、７２２、７２４    イメージ
６０２、６０３、６０４、６１７    サブイメージ
７１２    第１テンプレート
７１４    第２テンプレート
９１０    基準テンプレート
９２０    サブテンプレート
９２１    第１サブテンプレート
９２２    第２サブテンプレート
【図１】
2019114246.tif 000003
【図２Ａ】
2019114246.tif 000004
【図２Ｂ】
2019114246.tif 000005
【図３】
2019114246.tif 000006
【図４】
2019114246.tif 000007
【図５】
2019114246.tif 000008
【図６】
2019114246.tif 000009
【図７】
2019114246.tif 000010
【図８Ａ】
2019114246.tif 000011
【図８Ｂ】
2019114246.tif 000012
【図８Ｃ】
2019114246.tif 000013
【図８Ｄ】
2019114246.tif 000014
【図８Ｅ】
2019114246.tif 000015
【図９Ａ】
2019114246.tif 000016
【図９Ｂ】
2019114246.tif 000017
【図９Ｃ】
2019114246.tif 000018
【図１０】
2019114246.tif 000019